(57)【特許請求の範囲】
【請求項１】
一の軸芯（２）の軸方向に適宜間隔で設けた複数の身体接触部（１）を前記軸芯（２）に対して回転させながら身体の一部をマッサージできるようにしたマッサージ具であって、
各身体接触部（１）が周鍔状であり、各身体接触部（１）が一周する間にその外周縁部が周方向に対して上下に湾曲する起伏を有する形状に形成され、隣り合う身体接触部（１）における外周縁部の間隔が広い箇所と狭い箇所が交互にあらわれることを特徴とするマッサージ具。
【請求項２】
各身体接触部（１）が、外周縁部に外方に突出する複数の突出部（１ａ）を有することを特徴とする請求項１記載のマッサージ具。
【請求項３】
各身体接触部（１）において、軸方向の中央にある身体接触部（１）よりも両端側の身体接触部（１）の径が大きくなるようにした請求項１又は請求項２記載のマッサージ具。
【発明の詳細な説明】
【技術分野】
【０００１】
この発明は、身体の適宜箇所をマッサージするためのマッサージ具に関するものである。
【背景技術】
【０００２】
従来の回転式のマッサージ具としては、非特許文献１に記載の「レッグシェイプローラー」がある。この従来のマッサージ具は、回転体に設けた複数の突起で身体の一部をマッサージできるようになっており、身体に沿って回転させることにより、突起で身体を刺激し、コリをほぐすなどのマッサージ効果が得られるようになっている。
【０００３】
しかし、この従来のマッサージ具は、前記突起が軸方向に関して一定の間隔で配置されているため、身体に沿って移動させても、突起間の身体部位の挟み具合の強弱が変化しない。
【先行技術文献】
【非特許文献】
【０００４】
【非特許文献１】株式会社満天社、“レッグシェイプローラー/ピックアップローラー”、インターネット＜ＵＲＬ: http://www.mantensha.co.jp/goods/02_%20beauty/hb384_hb385_leg_shape/hb384_hb385_leg_shape.html＞
【発明の概要】
【発明が解決しようとする課題】
【０００５】
そこで、この発明は、身体に沿って移動させると、身体接触部間の身体部位の挟み具合の強弱が変化し、より効果的なマッサージ効果が得られるマッサージ具を提供することを課題とする。
【課題を解決するための手段】
【０００６】
前記課題を解決するため、この発明は次のような技術的手段を講じている。
【０００７】
この発明のマッサージ具は、一の軸芯２の軸方向に適宜間隔で設けた複数の身体接触部１を前記軸芯２に対して回転させながら身体の一部をマッサージできるようにしたマッサージ具であって、各身体接触部１が周鍔状であり、各身体接触部１が一周する間にその外周縁部が周方向に対して上下に湾曲する伏を有する形状に形成され、隣り合う身体接触部１における外周縁部の間隔が広い箇所と狭い箇所が交互にあらわれるものとしている。
【０００８】
各身体接触部１が、外周縁部に外方に突出する複数の突出部１ａを有することができる。
【０００９】
また、各身体接触部１において、軸方向の中央にある身体接触部（１）よりも両端側の身体接触部１の径が大きくなるようにしたものとすることができる。
【発明の効果】
【００１０】
この発明のマッサージ具は、上述のような構成を有しており、身体に沿って移動させると、隣り合う身体接触部１間の身体部位の挟み具合の強弱が変化し、より効果的なマッサージ効果が得られるようになっている。
【図面の簡単な説明】
【００１１】
【図１】この発明の実施形態のマッサージ具の斜視図である。
【図２】この発明の実施形態のマッサージ具の正面図である。
【図３】この発明の実施形態のマッサージ具の平面図である。
【図４】この発明の実施形態のマッサージ具の縦断面図である。
【図５】この発明の実施形態のマッサージ具を頭部に使用する場合の説明図である。
【図６】この発明の実施形態のマッサージ具の使用状態の説明図である。
【発明を実施するための形態】
【００１２】
以下、この発明の好適な実施形態を、図面を参照して説明する。
【００１３】
このマッサージ具は、軸方向に適宜間隔で設けた複数の身体接触部１を回転させながら身体の一部をマッサージできるようにしたマッサージ具であって、身体に沿って移動させると、隣り合う身体接触部１間に入った身体部位の挟み具合の強弱が変化するように、各身体接触部１が起伏を有する形状に形成されたものである。
【００１４】
このマッサージ具は、図１等に示したように、軸方向（図１の上下方向）に連結された軸芯２とグリップ部３、軸芯２を外嵌する回転カラー４、回転カラー４の外周面に固定されたローラー５からなる。ローラー５の固定は、接着や嵌合によるものとすることができ、また、回転カラー４の外周面に完全には固定されていない遊嵌状態となるようにしてもよい。
【００１５】
軸芯２、グリップ部３及び回転カラー４は、ポリプロピレン等の合成樹脂製とすることができる。ローラー５は、エラストマー等の比較的軟質な弾力性のある素材からなるものとすることができる。
【００１６】
軸芯２は、丸棒状で上端２ａが拡径した形状であり、下端側はグリップ部３の内部に固定されている。
【００１７】
回転カラー４は、内側に上下方向に延びる軸芯２を挿通させる貫通孔を有しており、その上端４ａは、貫通孔が前記軸芯２の上端２ａが嵌る大きさに拡径し、軸芯２によって抜け止めされるようにしている。回転カラー４の下端４ｂは、グリップ部３の上端に設けた周溝３ａに遊嵌し、回転カラー４が軸芯２の周りを回転できるようになっている。
【００１８】
図示しないが、回転カラー４を上下の２つの部品で構成し、それぞれローラー５の上下の開口部から挿入して取り付けるようにすることができる。
【００１９】
ローラー５は、軸方向の中央よりも両端側の径が大きくなるようにした筒状のローラー本体部５ａに、その湾曲した外面から軸方向と略直角に突出するようにした、複数の身体接触部１が一体に形成されたものとしている。身体接触部１は等間隔で６枚設けているが、この構成に限定されない。なお、各身体接触部１が個別に回転できるように、ローラー５を分割した構成にしてもよい。
【００２０】
各身体接触部１は周鍔状であり、その外周縁部に外方に突出する突出部１ａを設けたものとしている。突出部１ａは、図示したように、放射状に突出するように等間隔で複数設けることができる。なお、各身体接触部１は、必ずしも図示したような突出部１ａを設ける必要はなく、外周が円形や楕円形、あるいは多角形となるようにしてもよい。
【００２１】
各身体接触部１は、図２等に示したように、山の部分と谷の部分が交互にあらわれる上下に波打った起伏のある形状となっている。より具体的には、各身体接触部１は、一周の間に山、谷、山、谷があらわれるように周方向に対して上下に湾曲したものとしている。
【００２２】
また、身体接触部１は、正面視において隣り合う２つ身体接触部１の一方が山であれば他方が谷となるように、互いに周方向に関して角度をずらせて形成されており、隣り合う２つの身体接触部１の間隔が広い箇所、狭い箇所が交互にあらわれるようになっている。なお、必ずしもこのような構成とする必要はなく、隣り合う２つの身体接触部１の間隔が一定になるように、各身体接触部１を周方向に関して角度をずらさずに形成してもよい。
【００２３】
各身体接触部１は、前記ローラー本体部５ａと同様に、軸方向の中央よりも両端側の身体接触部１の径が大きくなっており、図４からわかるように、各身体接触部１間の外周縁部を軸方向に結ぶ線が円弧状となるようにしている。また、図４に示したように、各身体接触部１は、ローラー本体部５ａ側より外周縁部側の厚みが小さくなっており、適度な弾力性を有しつつ身体部位に食い込むことによりマッサージ効果を高められるようにしている。
【００２４】
グリップ部３は、両端間の中間部分の径が小さくなるようにした形状で、手で握りやすくしている。
【００２５】
次に、このマッサージ具の使用方法について説明する。このマッサージ具は、グリップ部３を手で握りつつ、身体接触部１を身体の一部に押し当て、身体に沿って移動させるようにして使用する。身体接触部１は、移動しつつ回転し、身体にマッサージ効果を与える。身体接触部１を押し当てる身体部位としては、例えば図５に示したように頭部とすることができるが、その他にも脚、腕、腰、背中、肩等の適宜の部位とすることができる。
【００２６】
身体接触部１が押し当てられた身体部位は、図６に示したように、隣り合う２つの身体接触部１間に挟まって、指でつままれたような状態になる。隣り合う２つの身体接触部１の間隔は、広い箇所、狭い箇所が交互にあらわれるようになっているが、間隔が広い箇所では比較的弱く挟まれた状態になり、間隔が狭い箇所では比較的強く挟まれた状態となる。
【００２７】
そして、身体接触部１が移動にともなって回転すると、その身体部位に当たる箇所が、前記山の部分から谷の部分へ、そしてまた山の部分へと移り変わるため、隣り合う２つの身体接触部１の間隔も変化し、あたかも人の指でつまんだり、開いたりするかのような、挟み具合の強弱の変化をともなうマッサージ効果を与えることができる。
【００２８】
また、このマッサージ具は、軸方向の中央よりも両端側の身体接触部１の径が大きくなっているため、頭、首、肩、腕、腰、大腿、ふくらはぎ等の丸みを帯びている身体部位によくフィットさせることができる。さらに、身体接触部１は、回転により外周縁部の突出部１ａで間欠的に強い刺激を身体部位に与えることになり、より効果的なマッサージを行うことができる。
【００２９】
以上がこの発明の好適な実施形態であるが、この発明は上述の実施形態の構成に限定されるものではなく、形状、寸法、材質等を適宜変更して実施することができる。
【符号の説明】
【００３０】
１  身体接触部
１ａ  突出部
【図１】
0005708915.tif 000002
【図２】
0005708915.tif 000003
【図３】
0005708915.tif 000004
【図４】
0005708915.tif 000005
【図５】
0005708915.tif 000006
【図６】
0005708915.tif 000007